【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
記録材に光を照射する照射手段と、
記録材を押圧することにより、記録材に対して第１の押圧領域と第１の押圧領域よりも押圧する力が弱い第２の押圧領域とを形成する押圧手段と、
前記照射手段から照射され前記押圧手段に押圧された記録材から反射した光を画像として撮像する撮像手段と、
前記撮像手段によって撮像された前記第１の押圧領域の画像と前記第２の押圧領域の画像に基づき記録材の種類を判別する制御手段と、を有することを特徴とする記録材判別装置。
【請求項２】
前記撮像手段を保護する保護部材を有し、
前記保護部材は前記押圧手段と対向した位置に設けられ、前記押圧手段とニップを形成することにより、前記第１の押圧領域及び前記第２の押圧領域を形成することを特徴とする請求項１に記載の記録材判別装置。
【請求項３】
前記押圧手段は記録材を搬送するローラであり、前記第１の押圧領域を形成する第１の半径と、前記第２の押圧領域を形成する前記第１の半径よりも短い第２の半径とを有することを特徴とする請求項１又は２に記載の記録材判別装置。
【請求項４】
前記撮像手段は、前記第１の押圧領域と前記第２の押圧領域の画像を同時に撮像することを特徴とする請求項１乃至３のいずれか１項に記載の記録材判別装置。
【請求項５】
記録材に光を照射する照射手段と、
記録材を押圧する押圧領域と、記録材を押圧しない非押圧領域とを形成する押圧手段と、
前記照射手段から照射され前記押圧手段に押圧された記録材から反射した光を画像として撮像する撮像手段と、
前記撮像手段によって撮像された前記押圧領域と前記非押圧領域の画像に基づき記録材の種類を判別する制御手段と、を有することを特徴とする記録材判別装置。
【請求項６】
前記撮像手段を保護する保護部材を有し、
前記保護部材は前記押圧手段と対向した位置に設けられ、前記押圧手段とニップを形成することにより、前記押圧領域及び前記非押圧領域を形成することを特徴とする請求項５に記載の記録材判別装置。
【請求項７】
前記押圧手段は記録材を判別するローラであり、前記押圧領域を形成する第１の半径と、前記非押圧領域を形成する前記第１の半径よりも短い第２の半径とを有することを特徴とする請求項５又は６に記載の記録材判別装置。
【請求項８】
前記撮像手段は、前記押圧領域と前記非押圧領域の画像を同時に撮像することを特徴とする請求項５乃至７のいずれか１項に記載の記録材判別装置。
【請求項９】
記録材に光を照射する照射手段と、
記録材を押圧する押圧手段と、
前記照射手段から照射され前記押圧手段に押圧された記録材から反射した光を画像として撮像する撮像手段と、
前記押圧手段に対向して配置され、前記撮像手段を保護するための保護部材と、
前記撮像手段によって撮像された画像に基づき、記録材の種類を判別する制御手段と、を有する記録材判別装置であって、
前記押圧手段と前記保護部材とによって形成されるニップ部において記録材を挟持することにより、記録材を押圧する第１の押圧領域と、前記第１の押圧領域より押圧する力が低い第２の押圧領域とを形成し、
前記制御手段は、前記撮像手段により撮像された前記第１の押圧領域の画像と前記第２の押圧領域の画像に基づき記録材の種類を判別することを特徴とする記録材判別装置。
【請求項１０】
記録材に光を照射する照射手段と、
記録材を押圧する押圧手段と、
前記照射手段から照射され前記押圧手段に押圧された記録材から反射した光を画像として撮像する撮像手段と、
前記押圧手段に対向して配置され、前記撮像手段を保護するための保護部材と、
前記撮像手段によって撮像された画像に基づき、記録材の種類を判別する制御手段と、を有する記録材判別装置であって、
前記押圧手段と前記保護部材とによって形成されるニップ部において記録材を挟持することにより、記録材を押圧する押圧領域と、記録材を押圧しない非押圧領域とを形成し、前記制御手段は、前記撮像手段により撮像された前記押圧領域の画像と前記非押圧領域の画像に基づき記録材の種類を判別することを特徴とする記録材判別装置。
【請求項１１】
前記制御手段は、前記記録材の種類として前記記録材の表面状態を判別することを特徴とする請求項１乃至１０のいずれか１項に記載の記録材判別装置。
【請求項１２】
記録材に画像を形成する画像形成手段と、
記録材に光を照射する照射手段と、
記録材を押圧することにより、記録材に対して第１の押圧領域と第１の押圧領域よりも押圧する力が弱い第２の押圧領域とを形成する押圧手段と、
前記照射手段から照射され前記押圧手段に押圧された記録材から反射した光を画像として撮像する撮像手段と、
前記撮像手段によって撮像された前記第１の押圧領域の画像と前記第２の押圧領域の画像に基づき前記画像形成手段の画像形成条件を制御する制御手段と、を有することを特徴とする画像形成装置。
【請求項１３】
記録材に画像を形成する画像形成手段と、
記録材に光を照射する照射手段と、
記録材を押圧する押圧領域と、記録材を押圧しない非押圧領域とを形成する押圧手段と、
前記照射手段から照射され前記押圧手段に押圧された記録材から反射した光を画像として撮像する撮像手段と、
前記撮像手段によって撮像された前記押圧領域と前記非押圧領域の画像に基づき前記画像形成手段の画像形成条件を制御する制御手段と、を有することを特徴とする画像形成装置。
【請求項１４】
記録材に画像を形成する画像形成手段と、
記録材に光を照射する照射手段と、
記録材を押圧する押圧手段と、
前記照射手段から照射され前記押圧手段に押圧された記録材から反射した光を画像として撮像する撮像手段と、
前記押圧手段に対向して配置され、前記撮像手段を保護するための保護部材と、
前記画像形成手段の画像形成条件を制御する制御手段と、を有する画像形成装置であって、
前記押圧手段と前記保護部材とによって形成されるニップ部において記録材を挟持することにより、記録材を押圧する第１の押圧領域と、前記第１の押圧領域より押圧する力が低い第２の押圧領域とを形成し、
前記制御手段は、前記撮像手段により撮像された前記第１の押圧領域の画像と前記第２の押圧領域の画像に基づき前記画像形成手段の画像形成条件を制御することを特徴とする画像形成装置。
【請求項１５】
記録材に画像を形成する画像形成手段と、
記録材に光を照射する照射手段と、
記録材を押圧する押圧手段と、
前記照射手段から照射され前記押圧手段に押圧された記録材から反射した光を画像として撮像する撮像手段と、
前記押圧手段に対向して配置され、前記撮像手段を保護するための保護部材と、
前記画像形成手段の画像形成条件を制御する制御手段と、を有する画像形成装置であって、
前記押圧手段と前記保護部材とによって形成されるニップ部において記録材を挟持することにより、記録材を押圧する押圧領域と、記録材を押圧しない非押圧領域とを形成し、前記制御手段は、前記撮像手段により撮像された前記押圧領域の画像と前記非押圧領域の画像に基づき前記画像形成手段の画像形成条件を制御することを特徴とする画像形成装置。
【手続補正２】
【補正対象書類名】明細書
【補正対象項目名】０００９
【補正方法】変更
【補正の内容】
【０００９】
上記目的を達成するために本発明は、記録材に光を照射する照射手段と、記録材を押圧することにより、記録材に対して第１の押圧領域と第１の押圧領域よりも押圧する力が弱い第２の押圧領域とを形成する押圧手段と、前記照射手段から照射され前記押圧手段に押圧された記録材から反射した光を画像として撮像する撮像手段と、前記撮像手段によって撮像された前記第１の押圧領域の画像と前記第２の押圧領域の画像に基づき記録材の種類を判別する制御手段と、を有することを特徴とする。